(57)【要約】【課題】使用中のトレイに収容されている用紙残量が少なくなっても、用紙の補給を円滑に行えるようにした画像形成装置を提供する。【解決手段】画像形成装置１００は、複数の給紙トレイ２ａ,２ｂのうち印刷ジョブ（印刷指示）で印刷の１枚毎に指定された給紙トレイから用紙を給紙する給紙部と、給紙トレイの変更要求を入力する操作表示部（入力部）５と、複数の給紙トレイ２ａ,２ｂのうち１つの給紙トレイから給紙を受けて画像形成を実行中に操作表示部５から他の給紙トレイへの変更要求が入力されたとき、印刷ジョブの実行中に他の給紙トレイに強制的に切り替えるコントローラ（制御部）とを備える。【選択図】図１
2010143687.tif 000002
【特許請求の範囲】
【請求項１】
複数の給紙トレイのうち印刷指示で印刷の１枚毎に指定された給紙トレイから用紙を給紙する給紙部と、
給紙トレイの変更要求を入力する入力部と、
前記複数の給紙トレイのうち１つの給紙トレイから給紙を受けて画像形成を実行中に前記入力部から他の給紙トレイへの変更要求が入力されたとき、前記印刷指示の実行中に前記他の給紙トレイに強制的に切り替える制御部とを備えた画像形成装置。
【請求項２】
前記制御部は、前記変更要求が入力されたときに前記画像形成を実行中の用紙の次の用紙以降に対して前記他の給紙トレイへの切り替えを行う請求項１に記載の画像形成装置。
【請求項３】
前記制御部は、前記印刷指示で指定された給紙トレイに用紙切れが発生したとき、予め定められている給紙トレイに切り替える自動トレイ切り替え機能を有する請求項１に記載の画像形成装置。
【請求項４】
前記制御部は、前記印刷指示で指定された給紙トレイと実際に給紙に用いる給紙トレイとを対応させた関係情報を保持し、前記入力部から他の給紙トレイへの変更要求が入力されたとき、前記関係情報の前記実際に給紙に用いる給紙トレイを前記入力部により入力された前記他の給紙トレイに書き換えて前記他の給紙トレイへの切り替えを行う請求項１に記載の画像形成装置。
【請求項５】
前記制御部は、前記印刷指示の終了、前記自動トレイ切り替え機能による給紙トレイの切り替え、又は利用者の指示のいずれかが行われたとき、前記関係情報を初期化する請求項３に記載の画像形成装置。
【請求項６】
前記制御部は、前記他の給紙トレイへの変更要求に対し、前記他の給紙トレイへの切り替えが不可能なとき、その旨を表示する請求項１に記載の画像形成装置。
【発明の詳細な説明】
【技術分野】
【０００１】
本発明は、画像形成装置に関する。
【背景技術】
【０００２】
画像形成装置においては、現在選択されているトレイに収容されている用紙が無くなった場合、同じサイズの用紙が収納されている他のトレイに切り替えるＡＴＳ（自動トレイ切り替え）機能を備えたものがある。
【０００３】
このＡＴＳ機能を備えた画像形成装置として、例えば、給紙中のトレイに収容されている用紙の残量が、予め定めた枚数に減ったときに、他のトレイを指定して給紙準備の動作を開始させ、ＡＴＳのロスタイムを生じ難くした画像形成装置（例えば、特許文献１参照）や、給紙中のトレイに収容されている用紙の残量が下限値になったとき、印刷動作を一旦停止して切り替え可能な他のトレイを検索し、他のトレイが存在すれば、そのトレイに切り替えて印刷を行う印刷システム（例えば、特許文献２参照）が知られている。
【特許文献１】特開２００１−３０２００３号公報
【特許文献２】特開２００８−１８７５１７号公報
【発明の開示】
【発明が解決しようとする課題】
【０００４】
本発明の目的は、使用中のトレイに収容されている用紙残量が少なくなっても、用紙の補給を円滑に行うことができる画像形成装置を提供することにある。
【課題を解決するための手段】
【０００５】
本発明の一態様は、上記目的を達成するため、以下の画像形成装置を提供する。
【０００６】
［１］複数の給紙トレイのうち印刷指示で印刷毎に指定された給紙トレイから用紙を給紙する給紙部と、給紙トレイの変更要求を入力する入力部と、前記複数の給紙トレイのうち１つの給紙トレイから給紙を受けて画像形成を実行中に前記入力部から他の給紙トレイへの変更要求が入力されたとき、前記印刷指示の実行中に前記他の給紙トレイに強制的に切り替える制御部とを備えた画像形成装置。
【０００７】
［２］前記制御部は、前記変更要求が入力されたときに前記画像形成を実行中の用紙の次の用紙以降に対して前記他の給紙トレイへの切り替えを行う前記［１］に記載の画像形成装置。
【０００８】
［３］前記制御部は、前記印刷指示で指定された給紙トレイに用紙切れが発生したとき、予め定められている給紙トレイに切り替える自動トレイ切り替え機能を有する前記［１］に記載の画像形成装置。
【０００９】
［４］前記制御部は、前記印刷指示で指定された給紙トレイと実際に給紙に用いる給紙トレイとを対応させた関係情報を保持し、前記入力部から他の給紙トレイへの変更要求が入力されたとき、前記関係情報の前記実際に給紙に用いる給紙トレイを前記入力部により入力された前記他の給紙トレイに書き換えて前記他の給紙トレイへの切り替えを行う前記［１］に記載の画像形成装置。
【００１０】
［５］前記制御部は、印刷動作の停止、前記印刷指示の終了、前記自動トレイ切り替え機能による給紙トレイの切り替え、又は利用者の指示のいずれかが行われたとき、前記関係情報を初期化する前記［３］に記載の画像形成装置。
【００１１】
［６］前記制御部は、前記他の給紙トレイへの変更要求に対し、前記他の給紙トレイへの切り替えが不可能なとき、その旨を表示する前記［１］に記載の画像形成装置。
【発明の効果】
【００１２】
請求項１に記載の発明によれば、使用中のトレイに収容の用紙残量が少なくなっても、用紙の補給を円滑に行うことができる。
【００１３】
請求項２に記載の発明によれば、給紙トレイの切り替えを直ちに行うことができる。
【００１４】
請求項３に記載の発明によれば、印刷指示で指定された給紙トレイに収容されている用紙の残量が少ないとき、他の給紙トレイに強制的に切り替えた後、用紙の残量が少なくなった給紙トレイに用紙を補給し、強制的に切り替えた他の給紙トレイに用紙切れが発生しても、用紙を補給した給紙トレイへの自動切り替えが行われる。
【００１５】
請求項４に記載の発明によれば、当該関係情報を保持しない場合と比べて、初期化により元の状態に戻すことが容易になる。
【００１６】
請求項５に記載の発明によれば、利用者が変わっても画像形成装置を通常の状態で使用を開始することができる。
【００１７】
請求項６に記載の発明によれば、利用者は給紙トレイの強制的変更ができないことを視覚的に理解することができる。
【発明を実施するための最良の形態】
【００１８】
(画像形成装置の構成)
図１は、本発明の実施の形態に係る画像形成装置の外観を示す正面図である。
【００１９】
この画像形成装置１００は、複写機、プリンタ、スキャナ等の複数の機能を有する複合機であり、本体部１と、本体部１の前部に装着されたＡＴＳ対応の第１及び第２の給紙トレイ２ａ（トレイ１），２ｂ（トレイ２）と、本体部１の側面に設けられた開閉式の手差しトレイ３と、この手差しトレイ３の上側に設けられ、原稿が排紙される排紙トレイ４Ａと、本体部１の空間部に設けられ、印刷された用紙が排紙される排紙部４Ｂと、本体部１の上面に設けられて各種の設定や指示の入力及び情報表示に用いられる入力部としての操作表示部５と、本体部１の上部に設置されたＡＤＦ（自動原稿給紙装置）６とを備える。給紙トレイ２ａ,２ｂ及び手差しトレイ３は、後述する給紙部を構成する。
【００２０】
本体部１は、後記する画像入力部、画像出力部、給紙部及び電源装置（図示せず）等を備えて構成されている。また、本体部１は、オフィス、社内等に設置された複数のパーソナルコンピュータ（ＰＣ）１３等がローカルエリアネットワーク（ＬＡＮ）等のネットワーク１２により接続されている。なお、同図では、ＰＣ１３を１台のみ図示する。
【００２１】
第１及び第２の給紙トレイ２ａ，２ｂは、本体部１に引き出し式に着脱できると共に、Ａ４、Ｂ４、Ｂ５等のサイズの用紙を個別に収納可能になっている。
【００２２】
手差しトレイ３は、例えば、第１及び第２の給紙トレイ２ａ，２ｂに収納されていない用紙や、ＯＨＰ（オーバーヘッドプロジェクター）シート等を使用したいとき、第１及び第２の給紙トレイ２ａ，２ｂが用紙切れかまもなく用紙切れになるとき等に用いられるもので、通常は、本体部１へ閉じられている。
【００２３】
排紙部４Ｂは、画像出力部により印刷された用紙を順次重ねるようにして受け入れる構成になっている。
【００２４】
ＡＤＦ６は、複数枚の原稿を一括してセット可能な原稿トレイ６０を有し、この原稿トレイ６０から原稿を１枚ずつ画像入力部の画像読取位置（図示せず）へ自動的に搬送して読み取りを行うと共に、先行の原稿の読み取りが完了すると次の原稿を原稿トレイ６０から搬送する構成を有している。
【００２５】
（操作表示部の構成）
図２は、図１の画像形成装置の操作表示部の構成例を示す平面図である。操作表示部５は、印刷ジョブの開始の指示に用いられるスタートボタン５０と、スタートボタン５０により開始した印刷ジョブの中止の指示に用いられるストップボタン５１と、押す毎に用紙サイズ、印刷枚数等の数値を増減できるアップダウンボタン５２と、用紙サイズ、印刷枚数、印刷部数等を表示する表示部５３と、第１，第２の給紙トレイ２ａ，２ｂ及び手差しトレイ３の一つを選択するトレイ選択ボタン５４と、トレイ選択ボタン５４によって第１の給紙トレイ２ａが選択されたときに点灯するＬＥＤ５５Ａと、トレイ選択ボタン５４によって第２の給紙トレイ２ｂが選択されたときに点灯するＬＥＤ５５Ｂと、トレイ選択ボタン５４によって手差しトレイ３が選択されたときに点灯するＬＥＤ５５Ｃとを備えている。
【００２６】
ここで、「印刷ジョブ」とは、１ページ又は２ページ以上の印刷対象の画像データに対して印刷条件を指定し、複写機、プリンタ等の画像形成装置に対して行った印刷指示をいう。「印刷ジョブ」には、印刷対象の画像データと印刷条件が含まれる。「印刷条件」には、用紙の表面と裏面に印刷する両面印刷、用紙の表面にＮ（Ｎは２以上）枚のページを印刷するＮｕｐ等の印刷態様、印刷枚数、給紙トレイ等が含まれる。
【００２７】
表示部５３は、例えば、７セグメントＬＥＤを用いて構成され、最大で３桁の表示が可能になっている。その一例を示すと、用紙サイズが「Ａ４」、「Ｂ５」等により、部数が「１」、「２」等の数字により、エラーコードが英数字等により表示できるようになっている。
【００２８】
トレイ選択ボタン５４は、押しボタンの構造を有しており、押下する度に第１の給紙トレイ２ａ、第２の給紙トレイ２ｂ、手差しトレイ３、第１の給紙トレイ２ａ、・・・の順に給紙トレイが順次選択され、この選択に応じてＬＥＤ５５Ａ〜５５Ｃが、ＬＥＤ５５Ａ（表記は「トレイ１」）、ＬＥＤ５５Ｂ（表記は「トレイ２」）、ＬＥＤ５５Ｃ（表記は「手差し」）、ＬＥＤ５５Ａ、・・・の順に順次点灯するように制御される構成になっている。
【００２９】
（画像形成装置の制御系）
図３は、画像形成装置の制御系を示すブロック図である。画像形成装置１００は、本体部１に内蔵され、ＣＰＵ８１、ＲＯＭ８２、ＲＡＭ８３、インターフェース（Ｉ／Ｆ）部８４等を有する制御部としてのコントローラ８を備える。コントローラ８には、操作表示部５、ＡＤＦ６、画像入力部９、画像出力部１０及び給紙部１１が接続され、これらは、ＲＯＭ８２に書き込まれたプログラムに従ってＣＰＵ８１により制御されるようになっている。
【００３０】
また、コントローラ８は、ネットワーク１２を介してＰＣ１３が接続されており、ＰＣ１３又は操作表示部５からの印刷指示としての印刷ジョブを印刷の１枚毎に「シート」という処理単位で用紙を管理する制御機能と、ＡＴＳ（自動トレイ切り替え）機能とを有する。
【００３１】
「シート」には、印刷の１枚毎に給紙トレイ等の印刷条件の一部が設定されている。「シート」は、片面印刷の場合は画像データの１ページに対応し、両面印刷の場合は画像データの２ページに対応する。
【００３２】
本実施の形態において、ＡＴＳ（自動トレイ切り替え）機能とは、印刷ジョブで指定された給紙トレイに用紙切れが発生したとき、同じサイズの用紙が収容されている他の給紙トレイであって、予め定められた給紙トレイに切り替える機能をいう。
【００３３】
画像入力部９は、ＡＤＦ６から画像読取位置に到達した原稿又は利用者によって画像読取位置にセットされた原稿をリニアイメージセンサ等によって光学的にスキャンし、光電変換した信号を生成する構成を有している。
【００３４】
画像出力部１０は、半導体レーザ、光学系、感光ドラム等から成り、給紙部１１から給紙された用紙の一方の面にトナー画像を形成する印刷機構（図示せず）と、印刷機構から出力された用紙上のトナー画像を定着させる定着機構（図示せず）とを備える。
【００３５】
給紙部１１は、画像形成のタイミングに合わせて第１の給紙トレイ２ａ、第２の給紙トレイ２ｂ及び手差しトレイ３のうち、印刷ジョブで印刷の１枚毎に指定されたトレイから用紙を１枚ずつ払い出して画像出力部１０へ給紙するように構成されている。
【００３６】
図４は、コントローラの機能を示す図である。コントローラ８は、上記したＣＰＵ８１、ＲＯＭ８２、ＲＡＭ８３及びＩ／Ｆ部８４を備えると共に、シート（印刷１枚毎の処理単位）を生成順の待ち行列により管理する出力要求管理モジュール８５と、シートの属性としての給紙トレイ(以下、「指定トレイ」という)と実際に給紙の対象となるトレイ(以下、「実給紙トレイ」という)との対応を管理し、実際に用いられる給紙トレイを決定する給紙元管理モジュール８６と、給紙部１１を制御する給紙制御モジュール８７とを備えている。
【００３７】
給紙元管理モジュール８６は、後述するトレイ対応表８６０を保持し、実際に給紙を行う給紙トレイの情報が書き込まれる給紙レジスタ８６１を備えている。
【００３８】
（トレイ対応表の構成）
トレイ対応表８６０は、ＰＣ１３から指示された指定トレイと、操作表示部５によって設定され、給紙制御モジュール８７によって参照される実給紙トレイとをテーブル（関係情報）にしたものである。このトレイ対応表８６０は、給紙元管理モジュール８６によって管理される。
【００３９】
トレイ対応表８６０は、例えば、画像形成装置１００の上位モジュールがＰＣ１２であった場合、電子文書のデータに添付されている印刷情報は、出力要求を出した後では変更できないため、画像形成装置１００側でトレイ変更の手続きを行えるようにするために設けられている。
【００４０】
図５は、トレイ対応表の内容の一例を示す図である。図５（ａ）は初期状態におけるトレイ対応表８６０の内容を示す。この初期状態にあるとき、利用者が操作表示部５を操作して、第１の給紙トレイ２ａ（トレイ１）を第２の給紙トレイ２ｂ（トレイ２）に強制的に切り替えると、トレイ対応表８６０は、図５（ｂ）に示す状態になる。また、第１の給紙トレイ２ａから手差しトレイ３に切り替えると、実給紙トレイのデータは、全て「手差し」になる。更に、図５（ｂ）の状態において一定の条件が成立した場合には、図５（ｃ）のように初期状態と同じ内容になるようにプログラムされている。
【００４１】
トレイ対応表８６０が初期状態に戻る一定の場合として、印刷ジョブの終了、ＡＴＳ機能による給紙トレイの切り替え、利用者の指示等がある。その他、１つの印刷ジョブの中で指定トレイが前回と異なるとき、印刷ジョブで指定された給紙トレイが前回の印刷ジョブと異なるときでもよい。利用者の指示として、利用者がトレイ選択ボタン５４を一定時間押下したとき、給紙トレイの変更要求がされたとしてもよい。本実施の形態は、印刷ジョブが終了したときにトレイ対応表８６０が初期化状態に戻るものとする。
【００４２】
（画像形成装置の動作）
図６は、画像形成装置の動作を示すシーケンス図である。図６に示す処理は、コントローラ８のＲＯＭ８２に格納されているプログラムに従って実行される。特に記述がない限り、ＣＰＵ８１が行うものとする。
【００４３】
ここでは、画像形成装置１００が、第１の給紙トレイ２ａにはＡ４紙が収容されているものの残り枚数が少ない状態にあるものとする。更に、画像形成装置１００をプリンタとして動作させ、ＰＣ１３からの電子文書を印刷するものとする。また、ＰＣ１３の利用者は、画像形成装置１００にプリンタとしてのジョブを依頼した後、画像形成装置１００による印刷物を受け取るために画像形成装置１００の近傍で待機しているものとする。
【００４４】
画像形成装置１００は、プリントを開始するに際し、ジョブを処理する上位モジュール（ここでは、ＰＣ１２）が処理単位である「シート」をページ毎に生成する。このシートは、コントローラ８の出力要求管理モジュール８５によって生成順に待ち行列による管理がなされ、使用中の給紙トレイから給紙が行われる度に、出力要求管理モジュール８５の管理からシートが開放される。
【００４５】
図６のシーケンスの開始時には、コントローラ８のトレイ対応表８６０は、図５（ａ）に示す初期状態になっている。まず、第１の給紙トレイ２ａを給紙元とするシート出力要求が、ＰＣ１２から画像形成装置１００に通知される（Ｓ１０１）。このシート出力要求は、コントローラ８の出力要求管理モジュール８５によって受信される。シート出力要求を受信した出力要求管理モジュール８５は、シート出力要求に示された指示トレイが第１の給紙トレイ２ａ（トレイ１）であることを給紙元管理モジュール８６に通知する（Ｓ１０２）。
【００４６】
給紙元管理モジュール８６は、トレイ対応表８６０を参照し、現在の指示トレイである第１の給紙トレイ２ａ（トレイ１）に対応する実給紙トレイが「トレイ１」であることを図５（ａ）から確認する（Ｓ１０３）。これに基づいて、給紙元管理モジュール８６は「トレイ１」を示すデータを給紙レジスタ８６１に書き込む（給紙レジスタ設定）と共に（Ｓ１０４）、設定の完了を出力要求管理モジュール８５に通知する（Ｓ１０５）。
【００４７】
給紙元管理モジュール８６から通知を受けた出力要求管理モジュール８５は、給紙制御モジュール８７に給紙開始を依頼する（Ｓ１０６）。給紙制御モジュール８７は、給紙部１１が給紙動作を始める前に給紙元管理モジュール８６の給紙レジスタ８６１を参照し（Ｓ１０７）、そこに指定されているトレイ１（第１の給紙トレイ２ａ）から給紙を開始する（Ｓ１０８）。第１の給紙トレイ２ａからの給紙が完了すると、給紙制御モジュール８７は給紙完了の通知を出力要求管理モジュール８５に通知する（Ｓ１０９）。
【００４８】
第１の給紙トレイ２ａから給紙部１１により給紙されたＡ４紙に対して、画像出力部１０により印刷が行われる。上記ステップＳ１０１〜Ｓ１０９の処理は、ＰＣ１３からシート出力要求が来る度に繰り返し実行される。従って、第１の給紙トレイ２ａ内に印刷指示された電子文書のプリント枚数以上の枚数の用紙が収容されていれば、画像形成装置１００はＰＣ１３から指定された枚数及び部数のプリントを順次実行する。
【００４９】
ここで、上記プリントの実行中に、利用者が、給紙中の第１の給紙トレイ２ａに収容の用紙数が少なくなり、ジョブの完了までに用紙切れが発生する可能性を何らかの方法により知ったとする。この場合、利用者は、ＡＴＳによって切り替えが可能な第２の給紙トレイ２ｂに収容されている用紙をチェックする。その結果、第１の給紙トレイ２ａに収容されている用紙と同一サイズの用紙、即ちＡ４紙が第２の給紙トレイ２ｂに必要な枚数が収容されていれば、そのままにする。一方、第２の給紙トレイ２ｂに収容の用紙がＡ３紙であった場合、利用者は、Ａ３紙を第２の給紙トレイ２ｂから取り出し、代わりにＡ４紙を入れる（Ｓ２００）。この場合の用紙セット枚数は第２の給紙トレイ２ｂの規定量である必要はなく、現在の印刷ジョブが用紙切れを生じないで終了できる枚数以上であればよい。なお、第２の給紙トレイ２ｂに代えて手差しトレイ３にＡ４紙をセットしてもよい。
【００５０】
次に、利用者は、操作表示部５のトレイ選択ボタン５４を押下して給紙トレイを強制的に切り替える指示を入力する（Ｓ１１０）。この指示は、第の給紙トレイ２ｂが選択されたことを示すＬＥＤ５５Ｂが点灯するまでトレイ選択ボタン５４を押下することで可能になる。また、手差しトレイ３にＡ４紙をセットしたのであれば、ＬＥＤ５５Ｃが点灯するまでトレイ選択ボタン５４を押下する。
【００５１】
この押下操作においては、目的の給紙トレイに切り替えるためにトレイ選択ボタン５４を複数回押下する必要がある。このことを考慮し、新たな給紙トレイが選択されたか否かの判断は、給紙トレイを切り替え後、操作表示部５からの入力が一定時間無い場合に限るのが望ましい。
【００５２】
上記強制切り替えの指示に対し、給紙トレイの不十分な挿入や用紙のセット不良等により、コントローラ８が切換先の給紙トレイ（第２の給紙トレイ２ｂ又は手差しトレイ３）に用紙が無いと判定した場合、コントローラ８は操作表示部５の表示部５３に該当するエラーコードを表示する。更に、操作表示部５に対して入力が一定時間無い場合、その給紙トレイを選択しないで現在給紙されている給紙トレイ（第１の給紙トレイ２ａ）に設定が戻される（初期化）。
【００５３】
上記ステップＳ１１０の処理に対し、操作表示部５から給紙元管理モジュール８６に現在給紙中の指示トレイに対応する実給紙トレイを第２の給紙トレイ２ｂに変更する依頼が通知される（Ｓ１１１）。
【００５４】
現在、第１の給紙トレイ２ａ（Ｔｒａｙ１）が指示トレイであるので、実給紙トレイは第２の給紙トレイ２ｂ（Ｔｒａｙ２）になる。これにより、トレイ対応表８６０は図５（ｂ）の内容になる。給紙元管理モジュール８６は、給紙レジスタ８６１にトレイ２を示すデータを書き込む（給紙レジスタ設定）（Ｓ１１２）。また、給紙元管理モジュール８６は、操作表示部５に変更したデータを通知する（１１３）。
【００５５】
一方、出力要求管理モジュール８５は、上記ステップＳ１０９の給紙完了の通知を受けた後、次の出力要求を上位モジュール（ＰＣ１３）から受けると（Ｓ１１４）、前回と同様に給紙元管理モジュール８６に指示トレイとしてトレイ１を通知する（Ｓ１１５）。
【００５６】
給紙元管理モジュール８６は、トレイ対応表８６０を参照し、指示トレイがトレイ１に対応する実給紙トレイを検索する（Ｓ１１６）。この時点では、上記ステップＳ１１１によってトレイ対応表８６０が既に図５（ｂ）に示すように変更されているので、指示トレイがトレイ１に対応する実給紙トレイはトレイ２となる。そこで、給紙元管理モジュール８６は、給紙レジスタ８６１にトレイ２を設定（給紙レジスタ設定）する（Ｓ１１７）。この設定は出力要求管理モジュール８５に通知される（Ｓ１１８）。
【００５７】
出力要求管理モジュール８５は、給紙制御モジュール８７に給紙開始を依頼する（Ｓ１１９）。給紙制御モジュール８７は、給紙動作を始める前に給紙レジスタ８６１を参照する（Ｓ１２０）。給紙制御モジュール８７は、給紙レジスタ８６１に指定されているトレイ２のデータに基づいて（Ｓ１２１）、次の給紙を第２の給紙トレイ２ｂから行う。第２の給紙トレイ２ｂからの１枚の給紙が完了すると、給紙制御モジュール８７は給紙完了の通知を出力要求管理モジュール８５へ通知する（Ｓ１２２）。以後、画像形成装置１００による電子文書のプリントは第２の給紙トレイ２ｂからの給紙によって行われる。この段階では、第１の給紙トレイ２ａからの給紙は停止しているので、利用者が以後の第２の給紙トレイ２ａの利用に備えて第１の給紙トレイ２ａにＡ４紙を補充する。
【００５８】
第２の給紙トレイ２ｂに収容されているＡ４紙が無くなると、ＡＴＳ機能により第１の給紙トレイ２ａに切り替わり、第１の給紙トレイ２ａから用紙が給紙される。
【００５９】
上位モジュール（ＰＣ１３）からの印刷ジョブが終了し、出力要求管理モジュール８５への出力要求が、設定した時間内に発生しない場合、画像出力部１０は給紙した用紙にプリントをした後に停止する。画像出力部１０が停止したことにより、トレイ対応表８６０は図５（ｃ）に示す初期状態に戻され、画像形成装置１００の全ての動作が終了する。
【００６０】
［他の実施の形態］
なお、本発明は、上記実施の形態に限定されず、その要旨を変更しない範囲内で種々な変形が可能である。
【００６１】
例えば、上記実施の形態では、画像形成装置１００をプリンタとして用いた場合について説明したが、複写機として用いる場合においても、画像形成の実行中に給紙トレイを強制的に変更することができる。画像形成装置１００を複写機として用いる場合は、利用者は、ＡＤＦ６の原稿トレイ６０に原稿をセットしてスタートボタン５０を押下する。その後の画像形成装置１００の動作は、上記したプリンタとしての動作と同様である。
【００６２】
また、上記実施の形態において、変更しようとするトレイが変更に適すかどうかを判断する判断手段を有し、変更しようとするトレイが適さない場合には変更を受付けず、その旨を利用者に操作表示部５に表示することができる。この表示は、利用者がトレイを切り替えようとしているときでよい。
【図面の簡単な説明】
【００６３】
【図１】図１は、本発明の実施の形態に係る画像形成装置の外観を示す正面図である。
【図２】図２は、図１の画像形成装置の操作表示部の構成例を示す平面図である。
【図３】図３は、図１の画像形成装置の制御系を示すブロック図である。
【図４】図４は、コントローラの機能を構成的に示した図である。
【図５】図５は、対応表の内容の一例を示す図である。
【図６】図６は、画像形成装置の動作を示すシーケンス図である。
【符号の説明】
【００６４】
１…本体部、２ａ…第１の給紙トレイ、２ｂ…第２の給紙トレイ、３…手差しトレイ、４Ａ…排紙トレイ、４Ｂ…排紙部、５…操作表示部、６…ＡＤＦ、８…コントローラ、９…画像入力部、１０…画像出力部、１１…給紙部、１２…ネットワーク、１３…ＰＣ、５０…スタートボタン、５１…ストップボタン、５２…アップダウンボタン、５３…表示部、５４…トレイ選択ボタン、５５Ａ〜５５Ｃ…ＬＥＤ、６０…原稿トレイ、８４…Ｉ／Ｆ部、８５…出力要求管理モジュール、８６…給紙元管理モジュール、８７…給紙制御モジュール、１００…画像形成装置、８６０…トレイ対応表、８６１…給紙レジスタ
【図１】
2010143687.tif 000003
【図２】
2010143687.tif 000004
【図３】
2010143687.tif 000005
【図４】
2010143687.tif 000006
【図５】
2010143687.tif 000007
【図６】
2010143687.tif 000008